(57)【要約】【課題】トラバースメカの軽量化、メカシャーシのガイド部とピックアップのガイド受け部との間の高摺動性、耐摩耗性を実現できる光ピックアップ装置を提供する。【解決手段】主軸１３に平行に配設されたガイド部１４は樹脂製のメカシャーシ１１と一体的に形成されている。さらに、ピックアップのガイド受け部１６とガイド部１４の間に摺動性部材１５が配設されている。ガイド受け部１６には、摺動性部材１５とガイド部１４とを押圧する付勢力を与えるバネ部材１７が配設されている。【選択図】図３
2007095207.tif 000002
【特許請求の範囲】
【請求項１】
軸受け部とガイド受け部が設けられ、光ディスクにデータを読取りまたは書き込む光学装置を搭載した基台と、駆動軸とガイド部から成り、前記基台を前記光ディスクの記録面と平行な平面内を直線移動するように案内する案内部と、
前記案内部を介して前記光ディスクのラジアル方向に移動されるよう前記基台を支持するメカシャーシと、を備えた光ピックアップ装置であって、
前記ガイド部は前記メカシャーシと一体的に形成され、前記ガイド受け部と前記ガイド部間に摺動性部材が配設されていることを特徴とする光ピックアップ装置。
【請求項２】
前記メカシャーシは、曲げ強さ２２０ＭＰａ以上、曲げ弾性率２００００ＭＰａ以上、曲げ強さ時歪み１．７％以下、成形収縮率の異方性が０．０２％以下の樹脂で構成したことを特徴とする請求項１記載の光ピックアップ装置。
【請求項３】
前記メカシャーシは、液晶ポリマーで構成したことを特徴とする請求項１記載の光ピックアップ装置。
【請求項４】
前記摺動性部材は、樹脂で構成したことを特徴とする請求項１記載の光ピックアップ装置。
【請求項５】
前記ガイド受け部には、前記摺動性部材と前記ガイド部とを押圧する付勢力を与えるバネ部材が配設されていることを特徴とする請求項１記載の光ピックアップ装置。
【請求項６】
請求項１記載の光ピックアップ装置を搭載したことを特徴とする光ディスク装置。
【発明の詳細な説明】
【技術分野】
【０００１】
本発明は、光ピックアップ装置に関し、特に、光ピックアップの移動機構に特徴を有した光ピックアップ装置及びそれを用いた光ディスク装置に関する。
【背景技術】
【０００２】
従来の光ディスク装置における光学ピックアップの移動機構ではピックアップを移動させるために二本のガイドシャフトを平行に配置し、それに支持させて移動するという構成をとっている。
【０００３】
例えば、図５に示す光ピックアップ装置５０のように、トラバース用メカシャーシ５１に駆動軸である主軸５２，副軸５３の二本の金属製のガイドシャフトが配置され、光学ピックアップが搭載されたピックアップベース５４の軸受け５４ａ，５４ｂは光学ピックアップの自重あるいは押さえつけ用のバネ力によりシャフトと密着し摺動する。光学ピックアップは主軸５２、副軸５３と二本のガイドシャフトにて支持され、主軸側の軸受け５４ａには潤滑用メタルが組み込まれているが、副軸側の軸受け５４ｂは、主として金属鋳造品であるピックアップベース５４が直接軸受け５４ｂとなっている。
【０００４】
あるいは主軸側の金属製のガイドシャフト一本とこれに平行に配置して設けられガイド部としての樹脂製のトラバース用メカシャーシ一体型のガイドという構造のもの（（株）東芝製光ディスク装置SD-C2002）が知られている。
【０００５】
上述のようにガイドシャフトの駆動軸としての主軸には金属製シャフトを使用するが、副軸には金属製シャフトを使用する場合とメカシャーシ一体型の樹脂ガイドを利用する場合がある。
【０００６】
金属製の副軸と金属製の軸受けとの摺動による磨耗対策として、副軸と軸受けとの間に樹脂材料を介在させたものが提案されている（例えば、特許文献１および特許文献２参照。）。
【特許文献１】特開２００１−２５６７３９号公報
【特許文献２】特開２００４−３４８７９４号公報
【発明の開示】
【発明が解決しようとする課題】
【０００７】
従来は、光学ピックアップを駆動させるために、ピックアップに軸受けを設け、駆動用の金属製シャフトを受けるという機構である。軸受けの高さ精度、強度が必要とされるため、ピックアップの軸受け部は金属製である場合が多い。
【０００８】
また、光学ピックアップの副軸側の金属製の軸受け部とガイドシャフトは常に密着しているため、磨耗を防ぐためには先行技術のように加工精度の高い金属製のシャフト（副軸）を使用、あるいは樹脂製メカシャーシ一体型ガイド部の場合は摺動性にすぐれた材料を使用する必要があった。前者の場合は重量増、シャフトの表面研磨の必要性、後者はメカシャーシの強度低下という問題点があった。
【０００９】
本発明は、上記の問題を解決するものであり、高剛性の材料を使用した樹脂製メカシャーシ一体型のガイド部を有し、さらに光学ピックアップのガイド受け部に摺動性部材を設けることにより、軽量化、摺動性、耐磨耗性の向上を図ることを目的としている。
【課題を解決するための手段】
【００１０】
本発明の一態様によれば、軸受け部とガイド受け部が設けられ、光ディスクにデータを読取りまたは書き込む光学装置を搭載した基台と、駆動軸とガイド部から成り、前記基台を前記光ディスクの記録面と平行な平面内を直線移動するように案内する案内部と、前記案内部を介して前記光ディスクのラジアル方向に移動されるよう前記基台を支持するメカシャーシと、を備えた光ピックアップ装置であって、前記ガイド部は前記メカシャーシと一体的に形成され、前記ガイド受け部と前記ガイド部間に摺動性部材が配設されていることを特徴とする光ピックアップ装置が提供される。
【００１１】
また、本発明の別の一態様によれば、前記メカシャーシは、曲げ強さ２２０ＭＰａ以上、曲げ弾性率２００００ＭＰａ以上、曲げ強さ時歪み１．７％以下、成形収縮率の異方性が０．０２％以下の樹脂で構成したことを特徴とする光ディスク装置が提供される。
【発明の効果】
【００１２】
本発明によれば、装置の軽量化、ガイド部側の摺動性、耐磨耗性の向上による部品削れを防止し、ガイド部側の部品削れに起因する読み取り性能の低下を防ぐことができる。
【発明を実施するための最良の形態】
【００１３】
以下、本発明の実施の形態について、図面を参照しながら説明する。尚、各図において同一箇所については同一の符号を付すとともに、重複した説明は省略する。
【００１４】
図１は光学ピックアップ機構を上方から見た斜視図であり、図２は光学ピックアップ機構の要部を上方から見た斜視図である。図３は、図２に示す光学ピックアップ機構の要部のＸ−Ｘ断面図であり、図４は、図２に示す光学ピックアップ機構の要部のＹ−Ｙ断面図である。
【００１５】
図１に示すように、光ピックアップ装置１０は、トラバース用メカシャーシ１１に案内部としての駆動軸である主軸１３、ガイド部１４が配置され、光ディスクにデータを読取りまたは書き込む光ピックアップを搭載したピックアップベースである基台１２のガイド受け部１６および図示しない主軸側の軸受けは光学ピックアップの自重あるいは押さえつけ用のバネ力によりシャフトと密着し摺動する。光学ピックアップは基台１２を介して主軸１３およびガイド部１４の二本のガイドにて支持され、主軸側の軸受け（図示せず。）には潤滑用メタルが組み込まれているが、ガイド部１４側のガイド受け部１６は主として金属鋳造品である基台１２が直接軸受けとなっている。
【００１６】
図１に示すように、光ピックアップ装置１０は、基本的に基台１２、案内部である主軸１３、ガイド部１４、トラバース用のメカシャーシ１１から構成されている。
【００１７】
基台１２には、ガイド受け部１６が設けられ、光ディスクにデータを読取りまたは書き込む光学装置を搭載している。案内部は駆動軸である主軸１３およびガイド部１４から成って、基台１２を光ディスクの記録面と平行な平面内を直線移動するように案内するものである。メカシャーシ１１は、主軸１３およびガイド部１４を介して光ディスクのラジアル方向に移動されるよう基台１２を支持する。基台１２の案内駆動は、精度良く駆動制御が可能なステピングモータ（図示しない）による駆動が好適である。
【００１８】
駆動軸である主軸１３は、例えば表面を研磨したステンレス棒で形成するのが好適である。
【００１９】
なお、図中１８は、光学ピックアップ機構のメカシャーシ１１の上面を覆うメカカバーであり、メカカバー１８は、主軸１３および基台１２の一部、ガイド部１４、ガイド受け部１６を露出している。
【００２０】
図２乃至図４に示すように、ガイド部１４は樹脂により形成されたメカシャーシ１１と一体的にレール状に形成されている。さらに、基台１２に設けられた断面略コ字状のガイド受け部１６の上部に樹脂製の摺動性部材１５が、例えば嵌め込み等の手段により取り付けられており、この摺動性部材１５はガイド受け部１６とガイド部１４間に配設されている。
【００２１】
メカシャーシ１１は、剛性が高く、成形収縮率の異方性を抑制して製作するのが好適である。このような特性を備えることにより、低そり性が確保できるからである。剛性に関しては、例えば曲げ強さ２２０ＭＰａ以上、曲げ弾性率２００００ＭＰａ以上、曲げ強さ時歪み１．７％以下が望ましい。尚、これらの機械物性については、例えばＩＳＯ１７８で規定される測定法によることができる。
【００２２】
また、成形収縮率の異方性については、例えば直角方向の成形収縮率と流動方向の成形収縮率の差が概ね０．０２％以下が好適である。尚、成形収縮率の測定方法は射出圧力をパラメータとする周知の方法で行うことができるので、ここでの詳細な説明は省略する。
【００２３】
さらに、メカシャーシ１１は、例えば液晶ポリマーで構成することもできる。
【００２４】
摺動性部材１５は、摺動性に加えて耐摩耗性も良好であることが必要であるから、例えばポリアセタール樹脂で構成することが好適である。
【００２５】
図３、図４に示すように、断面略コ字状のガイド受け部１６の下部の段差部には、摺動性部材１５とガイド部１４とを押圧する付勢力を与えるバネ部材１７が、弾性変形可能なように上方に凸となる形状で配設されている。このバネ部材１７は、弾性変形可能な形状であれば如何なる形状であってもよく、その材料は金属でも他の材料であってもよく、樹脂であれば、例えばポリアセタール樹脂製の樹脂バネとする。バネ部材１７の押圧力により、ガイド受け部１６とガイド部１４間のがたつきが抑制されるようになっている。
【００２６】
さらに、光ディスク装置に上述した光ピックアップ装置を搭載することにより、軽量化を図ることができる。
【００２７】
以上説明したように、本実施の形態では、剛性の高い樹脂を使用したメカシャーシ一体型のガイド部という構造を取り、さらに光学ピックアップのガイド受け部に樹脂製の摺動性部材を装着するという構成をとっているので、トラバースメカの軽量化、メカシャーシのガイド部とピックアップのガイド受け部の高摺動性、耐摩耗性を実現できる。
【００２８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２９】
【図１】本発明の実施形態に係る光学ピックアップ機構を上方から見た斜視図である。
【図２】本発明の実施形態に係る光学ピックアップ機構の一部を上方から見た斜視図である。
【図３】図２に示す光学ピックアップ機構の要部のＸ−Ｘ断面図である。
【図４】図２に示す光学ピックアップ機構の要部のＹ−Ｙ断面図である。
【図５】従来の光ディスク装置の光学ピックアップ機構を上方から見た斜視図である。
【符号の説明】
【００３０】
１０・・・光ピックアップ装置
１１・・・メカシャーシ
１２・・・基台
１３・・・主軸（駆動軸）
１４・・・ガイド部
１５・・・摺動性部材
１６・・・ガイド受け部
１７・・・バネ部材
【図１】
2007095207.tif 000003
【図２】
2007095207.tif 000004
【図３】
2007095207.tif 000005
【図４】
2007095207.tif 000006
【図５】
2007095207.tif 000007